(57)【要約】【課題】ガスメータを交換する際、既設の配管の管用継手が自在継手でなくても、気密保持装置を使用して交換できるガス配管器具の交換装置を提供すること。【解決手段】既設配管の一次側管用継手（二次側管用継手）８は、新規のガスメータ１Ｎとの先端継手部に、大径フランジ部８１と小径筒部８２とを有している。小径筒部８２の外周面にはパッキン７を装着する。新規のガスメータ１Ｎの一次側配管口２上に２分割して構成する一次側アダプタ１０を配置し、二次側配管口３を気密保持装置３０で把持するとともに気密保持装置３０の上部で二次側アダプタ２０を把持する。一次側アダプタ１０と、二次側アダプタ２０を装着した気密保持装置３０とを既設配管に取り付ける。そして、気密保持装置３０で新規のガスメータ１Ｎ内の空気をガスに置換、及び管内の気密検査後、一次側配管５からのガスを二次側配管６に供給する。【選択図】図３
2006038493.tif 000002
【特許請求の範囲】
【請求項１】
家庭内にガスを送給するガス配管経路の中間部に配管されたガス配管器具を交換する際に、前記ガス配管器具内の空気をガスに置換して気密を保持可能とするとともに、前記ガス配管経路に着脱可能に構成される気密保持装置を有するガス配管器具の交換装置であって、
前記ガス配管器具の一次側配管口は、ガス供給源から接続される一次側配管に一次側管用継手を介して接続され、前記ガス配管器具の二次側配管口は、家庭内に配管される二次側配管に二次側管用継手を介して接続され、
前記気密保持装置は、前記ガス配管器具の二次側配管口に装着可能に構成するとともに、前記二次側配管口を開閉可能に装着して前記二次側配管口から外部へのガス洩れを防止する開閉蓋を有し、
前記二次側管用継手と前記気密保持装置の開閉蓋との間に、前記二次側管用継手への気密を保持するための二次側アダプタを装着するとともに、
前記一次側管用継手と、前記ガス配管器具の一次側配管口との間に、隙間調整するための一次側アダプタを装着し、
前記二次側アダプタは、前記二次側管用継手に対して着脱可能に構成され、前記一次側アダプタは前記一次側管用継手に対して着脱可能に構成されていることを特徴とするガス配管器具の交換装置。
【請求項２】
前記一次側アダプタおよび前記二次側アダプタは分割体で形成されていることを特徴とする請求項１記載のガス配管器具の交換装置。
【請求項３】
分割された前記一次側アダプタと前記二次側アダプタとは、それぞれ分割面に気密を保持するためのシール部材が介在されていることを特徴とする請求項２記載のガス配管器具の交換装置。
【請求項４】
前記一次側アダプタの前記一次側配管口との接触面、及び前記二次側アダプタの前記開閉蓋との接触面には、気密を保持するためのシール部材が配置されていることを特徴とする請求項１，２又は３記載のガス配管器具の交換装置。
【請求項５】
前記二次側アダプタの前記開閉蓋との接触面に、摩擦防止手段が介在されていることを特徴とする請求項１，２，３又は４記載のガス配管器具の交換装置。
【請求項６】
前記ガス配管器具は、前記ガス配管器具の前記一次側配管あるいは前記二次側配管への装着時において、前記一次側配管あるいは前記二次側配管側に付勢可能に配置されることを特徴とする請求項１，２，３，４又は５記載のガス配管器具の交換装置。                                                                                
【発明の詳細な説明】
【技術分野】
【０００１】
この発明は、ガス供給源から家庭内に配管されるガス配管経路途中のガス配管器具、例えば、ガスメータの交換作業を安全に又容易に行なえるようにした気密保持装置を使用したガス配管器具の交換装置に関する。
【背景技術】
【０００２】
従来、ガスメータを交換する場合、ガスメータの気密保持とガスメータ内のガス置換を、気密保持装置を使用して行うことが特許文献１に記載されている。
【０００３】
これによると、気密保持装置は、ガスメータの二次側配管口に装着する装着口を有するとともに、二次側配管口を開閉可能なシャッター部材を備えている。シャッター部材には、ガスメータの空気を外部に排出する排出口と、一次側から送給されたガスを二次側に供給する供給口とを有している。又、気密保持装置は開閉可能な分割構造を有し、新規のガスメータを一次側配管と二次側配管に取り付けた後、新規のガスメータから脱着可能に構成されている。
【特許文献１】特開２００２−３１０７６６公報（３〜８頁、図３〜４参照）
【発明の開示】
【発明が解決しようとする課題】
【０００４】
しかし、特許文献１に記載されている気密保持装置は、既設のガス配管経路中の一次側配管に接続する一次側管用継手、及び二次側配管に接続する二次側管用継手が自在継手である場合に好適に使用することができる。つまり、図２１に示すタイプの管用継手５１は、先端の継手部５２が大径フランジ部５３と先端の小径筒部５４を有する段つき円筒状に形成されている。小径筒部５４にはパッキン５５が装着されるものの、管用継手５１が、異なるメーカーのものや、仕様が異なるものであると、小径筒部５４の長さがそれぞれ異なり、パッキン５５の厚みより長く形成するものがある。この場合、管用継手５１の先端部が摺動する気密保持装置のシャッター部材と干渉することとなって、シャッター部材を損傷させたり、ガス漏れを生じさせたりすることになるから、従来の気密装置をそのまま使用することができなかった。
【課題を解決するための手段】
【０００５】
この発明は、上述の課題を解決するものであり、既設のガス配管経路に使用されている管用継手が、自在継手でないタイプであっても、従来の気密保持装置を使用して安全でしかも容易に作業を行えるガス配管器具の交換装置を提供することを目的とし、その目的を達成するために、以下のように構成するものである。すなわち、
請求項１記載の発明では、家庭内にガスを送給するガス配管経路の中間部に配管されたガス配管器具を交換する際に、前記ガス配管器具内の空気をガスに置換して気密を保持可能とするとともに、前記ガス配管経路に着脱可能に構成される気密保持装置を有するガス配管器具の交換装置であって、
前記ガス配管器具の一次側配管口は、ガス供給源から接続される一次側配管に一次側管用継手を介して接続され、前記ガス配管器具の二次側配管口は、家庭内に配管される二次側配管に二次側管用継手を介して接続され、
前記気密保持装置は、前記ガス配管器具の二次側配管口に装着可能に構成するとともに、前記二次側配管口を開閉可能に装着して前記二次側配管口から外部へのガス洩れを防止する開閉蓋を有し、
前記二次側管用継手と前記気密装置の開閉蓋との間に、前記二次側管用継手への気密を保持するための二次側アダプタを装着するとともに、
前記一次側管用継手と、前記ガス配管器具の一次側配管口との間に、隙間調整するための一次側アダプタを装着し、
前記二次側アダプタは、前記二次側管用継手に対して着脱可能に構成され、前記一次側アダプタは前記一次側管用継手に対して着脱可能に構成されていることを特徴とするものである。
【０００６】
請求項２記載の発明では、前記一次側アダプタおよび前記二次側アダプタは分割体で形成されていることを特徴としている。
【０００７】
請求項３記載の発明では、分割された前記一次側アダプタと前記二次側アダプタとは、それぞれ分割面に気密を保持するためのシール部材が介在されていることを特徴としている。
【０００８】
請求項４記載の発明では、前記一次側アダプタの前記一次側配管口との接触面、及び前記二次側アダプタの前記開閉蓋との接触面には、気密を保持するためのシール部材が配置されていることを特徴としている。
【０００９】
請求項５記載の発明では、前記二次側アダプタの前記開閉蓋との接触面に、摩擦防止手段が介在されていることを特徴としている。
【００１０】
請求項６記載の発明では、前記ガス配管器具は、前記ガス配管器具の前記一次側配管あるいは前記二次側配管への装着時において、前記一次側配管あるいは前記二次側配管側に付勢可能に配置されることを特徴としている。
【発明の効果】
【００１１】
本発明のガス配管器具の交換装置は、請求項１記載の発明によれば、ガス配管器具の一次側配管口に一次側アダプタを載置し、二次側配管口に気密保持装置と二次側アダプタとを装着する。次に一次側アダプタ、二次側アダプタ及び気密保持装置を装着したガス配管器具を既設のガス配管経路に取り付ける。この際、一次側配管の一次側管用継手とガス配管器具の一次側配管口とを、一次側アダプタを介して対向させ、二次側配管の二次側管用継手に気密保持装置・二次側アダプタを介して二次側配管口に対向させた後、ガス配管器具内の空気をガスに置換する。
【００１２】
ガス配管器具の空気をガスに置換後、管内の気密検査を行って一次側配管から供給されたガスを二次側配管に送給する。これらの工程は、気密保持装置に配設された開閉蓋を摺動させることによって行われる。
【００１３】
一次側配管から供給されたガスが二次側配管に送給されると、気密保持装置及び一次側アダプタ、二次側アダプタを脱着する。そして、一次側管用継手にガス配管器具の一次側配管口を接続するとともに二次側管用継手にガス配管器具の二次側配管口を接続することによって、既設のガス配管経路に新規のガス配管器具を装着する。
【００１４】
上述のように、本発明は二次側管用継手とガス配管器具の二次側配管口との間に、気密保持装置と二次側アダプタを介在させることによって、二次側管用継手の先端部が、気密保持装置の開閉蓋に干渉するものであっても、気密保持装置の開閉蓋を損傷させることなく、又、ガス配管器具の交換中にガス洩れを発生させないで作業を行うことができる。
【００１５】
一次側管用継手とガス配管器具の一次側配管口との間に、一次側アダプタを介在することによって、ガス配管器具の二次側配管口との高さ調整を行うことができガス配管器具を傾けることがない。これによって、ガス配管器具内にガスを充満させる際にガス洩れを発生させることなく安全に作業を行うことができる。
【００１６】
従って、空気がガスに置換されることによって、ガスメータ内はガスが充満されているので空気抜きのための屋内での点火確認作業を省くことが可能となり、家人が留守であっても屋外での交換作業を自由に行なうことができる。
【００１７】
なお、この気密保持装置は、一次側配管口と二次側配管口とを有するものであれば、ガスメータだけでなく、それに類するものに使用できるものである。
【００１８】
また、ガス配管器具を既設配管に取り付けた後に、一次側アダプタと二次側アダプタとをそれぞれの管用継手から取り外すとともに、気密保持装置を二次側配管口から取り外すことができることから、交換作業終了後に気密保持装置をガスメータから取り外すことができ、気密保持装置を含む交換装置を再使用することが可能となる。
【００１９】
請求項２記載の発明によれば、前記一次側アダプタ及び前記二次側アダプタを、ガス配管器具又は一次側配管あるいは二次側配管から脱着する際は、ガス配管器具のガス置換作業や、管内の気密検査作業を行った状態のままで、それぞれのアダプタにおける分割体を順次水平方向に引き出すだけであることから、ガス配管器具を接続した状態で速やかに一次側アダプタ及び二次側アダプタを取り外すことができる。
【００２０】
請求項３記載の発明によれば、分割された一次側アダプタは一次側管用継手に分割面を当接させて組付けることとなるが、その当接面に気密保持するためのシール部材を介在させることによって、その合わせ面からのガス洩れを防止することができる。又、分割された二次側アダプタは二次側管用継手に分割面を当接させて組付けることとなるが、その当接面に気密保持するためのシール部材を介在させることによって、その合わせ面からのガス洩れを防止することができる。従って、ガス配管器具内のガス置換時、気密度合いの測定（気密検査）時等に、ガス配管器具内に充満されたガス洩れを防止できることから安全な交換作業を行うことができる。
【００２１】
請求項４記載の発明によれば、一次側アダプタ及び二次側アダプタの下面側に気密保持するためのシール部材を配設することによって、一次側アダプタと一次側配管口、二次側アダプタと気密保持装置の開閉蓋との間をシールすることができ、そのシール部からのガス洩れを防止することができる。従って、ガス配管器具内のガス置換時、気密度合いの測定（気密検査）時等に、ガス配管器具内に充満されたガス洩れを防止できることから安全な交換作業を行うことができる。
【００２２】
請求項５記載の発明によれば、気密保持装置で、ガス配管器具内の空気をガス置換するとともに、ガス器具内に充満されたガスを二次側配管に送給する際、二次側アダプタにおける開閉蓋との接触面には摩擦防止手段が介在されていることから、開閉蓋の摺動時に、スムーズな動きを行うことができ、開閉蓋を損傷させないだけでなく作業を容易に行なうことができる。
【００２３】
請求項６記載の発明によれば、一次側アダプタと、気密保持装置及び二次側アダプタとを装着したガス配管器具を、一次側継手及び二次側継手に装着する際、ガス配管器具は、一次側管用継手又は二次側管用継手側に付勢されていることから、気密保持装置で各作業を行う際、容易な作業を提供することができる。しかも、一次側アダプタを一次側管用継手から脱着する際、又は二次側アダプタ及び気密保持装置を二次側管用継手から脱着する際、付勢手段によってガス配管器具を瞬時に一次側管用継手、二次側管用継手に向かって移動させることができることから、ガス配管器具内のガス洩れを極少にすることができる。
【発明を実施するための最良の形態】
【００２４】
以下、この発明の一実施形態を図面に基づいて説明する。以下の説明にあたっては、ガス配管器具はガスメータで説明するものであるが、これに限定するものではない。
【００２５】
ガスメータ１は、図１〜２に示すように、屋外に配置され、既設配管、つまり、ガス供給源１２からガス栓４を介して配管される一次側配管５と、屋内に配置される各種のガス器具Ｌにガス用配管部材Ｐを介して接続される二次側配管６とを接続している。ガスメータ１には、図２に示すように、上面に、一次側配管口２と二次側配管口３とが形成されている。ガスメータ１の一次側配管口２は、一次側管用継手８にパッキン７を介して接続され、二次側配管口３は、二次側管用継手８にパッキン７を介して接続されている。それぞれの管用継手８、８とガスメータ１のそれぞれ配管口２、３とは、それぞれ管用ナット９、９を螺合することによって接続されている。
【００２６】
なお、実施形態では管用継手８、８から配管方向を変えるために、適宜エルボを介在させているが、もちろんこれに限定するものではない。
【００２７】
また、管用継手８の先端部は、大径フランジ部８１と大径フランジ部８１の先端の小径筒部８２とを備え、小径筒部８２の外周面にはパッキン７が装着されている。パッキン７は、片肉断面が矩形に形成され全周が円環状をなしている。小径筒部８２の先端部はパッキン７の下端面より下方に突出している。
【００２８】
実施形態のガスメータの交換装置（以下、交換装置という。）Ｍは、図３に示すように、一次側アダプタ１０及び二次側アダプタ２０と気密保持装置３０とで構成する。なお、実施形態では、一次側アダプタ１０と二次側アダプタ２０とはそれぞれ分割して形成されているものを示す。
【００２９】
一次側アダプタ１０は、図３に示すように、一次側配管口２と一次側管用継手８に装着されたパッキン７との間に配置され、二次側アダプタ２０と後述の気密保持装置３０の開閉蓋（シャッター部材４０）４１との厚みを合わせた厚みに形成されている。また、一次側アダプタ１０は、図４に示すように、平面視において２分割して形成されている。第１の分割アダプタ１１は半円環部１１１と半円環部１１１の両側から延設されたアーム部１１２、１１３とを有し、第２の分割アダプタ１２も半円環部１２１と半円環部１２１の両側から延設されたアーム部１２２、１２３とを有している。第１の分割アダプタ１１の半円環部１１１は第２の分割アダプタ１２の半円環部１２１より円周長さが長く形成され、第２の分割アダプタ１２の半円環部１２１の両側端部に、気密を保持するためのシール部材１３、１４が装着されている。
【００３０】
そして、第１の分割アダプタ１１の半円環部１１１の分割面と第２の分割アダプタ１２の半円環部１２１の分割面に貼着されたシール部材１３、１４の端面を合わせることによって、管用継手８の小径筒部８２を把持することになる。また、それぞれの分割アダプタ１１、１２を分割面で合わせる際に、対向する第１の分割アダプタ１１のアーム部１１２（１１３）と第２の分割アダプタ１２のアーム部１２２（１２３）を一体的に固持するアーム把持部材１５、１５が係合される。アーム把持部材１５は、それぞれのアーム部を一体的に固持する中空部を有する角筒状に形成してもよく、また、一方の面側から挿入するためにコ字状に形成してもよく、特に限定するものではない。
【００３１】
二次側アダプタ２０は、図３に示すように、二次側配管口３に装着された気密保持装置３０の開閉蓋（シャッター部材４０）４１と一次側管用継手８に装着されたパッキン７との間に配置されている。
【００３２】
また、二次側アダプタ２０は、図５に示すように、平面視において２分割して形成されている。第１の分割アダプタ２１は半円環部２１１と半円環部２１１の両側から延設されたアーム部２１２、２１３とを有し、第２の分割アダプタ２２は第１の分割アダプタ２１の半円環部２１１より円周長さが短く形成され、半円環部２１１の両側端部に気密を保持するためのシール部材２３、２４が装着されている。
【００３３】
また、第２の分割アダプタ２２には、その外周面に補助分割アダプタ２５が係合可能に配置される。補助分割アダプタ２５は、中央部に第２の分割アダプタ２２の外周面に係合する半円環部２５１と半円環部２５１の両側から延設するアーム部２５２、２５３を備え、それぞれのアーム部２５２、２５３が、第１の分割アダプタ２１のアーム部２１２、２１３と対向して配置される。
【００３４】
そして、第１の分割アダプタ２１の半円環部２１１の分割面と第２の分割アダプタ２２の分割面に貼着されたシール部材２３、２４の端面を合わせ、補助分割アダプタ２５を第２の分割アダプタ２２の外周面から係合することによって、管用継手８の小径筒部８２を把持することになる。また、それぞれの分割アダプタ２１、２２を分割面で合わせる際に、対向する第１の分割アダプタ２１のアーム部２１２（２１３）と補助分割アダプタ２５のアーム部２５２（２５３）を一体的に固持するアーム把持部材２６、２６が係合される。アーム把持部材２６は、それぞれのアーム部を一体的に固持する中空部を有する角筒状に形成してもよく、また、一方の面側から挿入するためにコ字状に形成してもよく、特に限定するものではない。
【００３５】
さらに、図６に示すように、第１の分割アダプタ２１の半円環部２１１、第２の分割アダプタ２２における開閉蓋４１側に配置される面は、気密を保持するためのシール部材２８を介して滑りシート２７、２７が貼着され、開閉蓋４１との間からガス洩れを防止するとともに開閉蓋４１の摺動を容易にしている。なお、この滑りシート２７は、実施形態においては、第１の分割アダプタ２１の半円環部２１１、第２の分割アダプタ２２におけるシャッター部材４０と反対側に配置される面にも貼着している。さらに一次側アダプタ１１におけるそれぞれの分割アダプタ１１、１２の半円環部１１１、１２１の一次側配管口と対向する面に気密を保持するためのシール部材２８を介して滑りシート２７、２７を貼着し、それぞれの反対側の面に滑りシート２７を貼着している。この滑りシート２７は、表面が摩擦抵抗の少ない滑らかな面を有し裏面に接着剤が塗布されていれば、特に材質的に限定するものではない。
【００３６】
気密保持装置３０は、図３に示すように、新規のガスメータ１Ｎの二次側配管口３に把持可能に構成するとともに、二次側アダプタ２０・パッキン７を介して二次側管用継手８に装着可能に構成され、本体部３１とシャッター部材４０とを備えている。
【００３７】
本体部３１は、図７〜９に示すように、二次側アダプタ２０及び新規のガスメータ１Ｎの二次側配管口３を把持可能な第１の把持部材３２と第２の把持部材３３とからなる。第１の把持部材３２と第２の把持部材３３とは相対的に移動可能に構成されている。第１の把持部材３２は、図１０に示すように、縦方向中央部に矩形貫通孔３２２を有する立て片３２１を備え、立て片３２１の上部に上把持部３２３、下部に下把持部３２４を備えている。上把持部３２３には、第２の把持部材３３側に向かって半割り状の円弧把持部３２３ａ（図７参照）が形成され、下把持部３２４は、第２の把持部材３３側に向かってＶ字把持部３２４ａ（図９参照）が形成されている。上把持部３２３の円弧把持部３２３ａは、立て片３２１の上面より低い位置に形成されている。
【００３８】
立て片３２１の一方の側部の上部には矩形板状の手持ち部３２５が形成され、さらに手持ち部３２５には、第２の把持部材３３側に延設する棒状の移動ガイド３２６と、後述の開閉蓋４１の移動規制をするとともに上方位置と下方位置との２位置を移動可能なストッパ３２７が配置されている。ストッパ３２７が上方位置にあるときには開閉蓋４１の移動が一部規制され、ストッパ３２７が下方位置にあるときには開閉蓋４１は移動規制されないように構成されている。
【００３９】
第２の把持部材３３は、図１１に示すように、縦方向中央部に矩形貫通孔３３２を有する立て片３３１を備えている。矩形貫通孔３３２は、第１の把持部材３２の矩形貫通孔３２２より横幅が長く形成されている。立て片３２１の上部には上把持部３３３が形成され、下部には下把持部３３４が形成される。上把持部３３３には、第１の把持部材３２側に向かって半割り状の円弧把持部３３３ａ（図７参照）が形成され、下把持部３３４は、立て片３３１の裏面が第１の把持部材３２のＶ字把持部３２４ａと対向する把持面として形成される（図９参照）。上把持部３３３の上面は、第１の把持部材３２の円弧把持部３２３ａの上面と略同一高さ面に形成されている。
【００４０】
さらに、第２の把持部材３３には、上把持部３３３の一方の側部に第１の把持部材３２に向かって延設する摺動ガイド部３３５と、摺動ガイド部３３５の外側に配置されて第１の把持部材３２の移動ガイド３２６を挿通するガイド孔部３３６（図１１参照）とを有している。摺動ガイド部３３５は、第１の把持部材３２の円弧把持部３２３ａの側部の摺動面３２３ｂに摺動可能に形成されるとともに、立て片３２１を貫通する。
【００４１】
また、二次側アダプタ２０は、第２の把持部材３３の摺動ガイド部３３５の下面と、挿入される後述のシャッター部材４０の開閉蓋４１の上面との間に、第１の把持部材３２（又は第２の把持部材３３）の摺動方向と直交する方向に挿入される。
【００４２】
従って、本体部３１は、第１の把持部材３２と第２の把持部材３３とが相対的に移動して、お互いが接近することによって、第１の把持部材３２の円弧把持部３２３ａと第２の把持部材３３の円弧把持部３３３ａとで二次側アダプタ２０を把持し、第１の把持部材３２のＶ字把持部３２４ａと第２の把持部字３３の下把持部３３４とでガスメータ１の二次側配管口３を把持する。
【００４３】
シャッター部材４０は、図１２〜１３に示すように、ガスメータ１Ｎの二次側配管口３を開閉する開閉蓋４１と、開閉蓋４１を本体部３１内で摺動操作する手持ち部４２とを有して略Ｔ字形に形成されている。手持ち部４２は開閉蓋４１より厚みを厚く形成され、内部に外部排出用の後述の気体通路が形成されている。手持ち部４２における開閉蓋４１側先端面は、第２の把持部材３３の立て片３３１端面に当接する第２ストッパ面４２１として形成され、手持ち部４２における開閉蓋４１と反対側の面には外部配管金具５０が取り付けられる。
【００４４】
開閉蓋４１は、略矩形板状に形成され、先端部の一方の側面部に摺動方向に沿って長尺状に切欠き部４１１を有して元部側の太幅部４１２と先端側の細幅部４１３に形成される。開閉蓋４１の細幅部４１２は、本体部３１における第１の把持部材３２の矩形貫通孔３２２内に摺動可能に挿通され、太幅部４１３は第２の把持部材３３の矩形貫通孔３３２内に摺動可能に挿通される。開閉蓋４１の他方の側部中間部には摺動方向に沿って長溝４１４が形成されている。
【００４５】
切欠き部４１１は第１の把持部材３２の立て片３２１と当接可能な第１ストッパ面４１１ａを有して形成され、長溝４１４には第１の把持部材３２のストッパ３２７に当接して第１の把持部材３２の前後方向の移動を規制するストッパ面４１４ａ、４１４ｂが形成される。
【００４６】
また、開閉蓋４１の下面には２個の小孔の通気孔４５・４６が形成されている。図１３に示すように、一方の通気孔４５は開閉蓋４１を貫通して形成され、他方の通気孔４６は、開閉蓋４１の下面から手持ち部４２の外面に通路４７・４８を通って屈折して形成されている。手持ち部４２の外端面には、通気孔４６に連通する外部配管口４９が形成され、外部配管口４９に配管金具５０が装着されている。さらに、開閉蓋４１の下面には気密を保持するためのシール部材４３を介して滑りシート４３１が貼着され、開閉蓋４１の上面には滑りシート４３１が貼着されている。そのため、ガスメータ１Ｎ内のガス洩れを防止するとともに開閉蓋４１の摺動を容易にしている。この滑りシート４１は、表面が摩擦抵抗の少ない滑らかな面を有し裏面に接着剤が塗布されていれば、特に材質的に限定するものではない。
【００４７】
図７に示すように、シャッター部材４０が本体部３１の矩形貫通孔３２２、３３２に挿通してシャッター部材４０の手持ち部４２の第２ストッパ面４２１が第２の把持部材３３の立て片３３１の一端面に当接した位置において、一方の通気孔４５は、二次側配管口３より外側の位置にあり、通気孔４６は、ガスメータ１Ｎの二次側配管口３と開通される位置にあるように形成されている。この位置をシャッター部材４０の前方位置といい、シャッター部材４０を第１の把持部材３２側から離れるように移動した位置（ストッパ３２７がストッパ面４１４ｂに係合した位置）を後方位置という。
【００４８】
なお、配管金具５０にホースを介して、例えば、計測装置に接続すれば、新規のガスメータ１Ｎ内の酸素濃度を計測することによって空気とガスとの置換状態を確認でき、また、ガス栓４を閉じた後で所定時間内のガス圧を計測することによって気密度合いを確認することができる。さらに配管金具５０にホースを介してガスを回収用バッグに接続すれば、ガスメータ１Ｎ内のガスを空気とともに回収できる。
【００４９】
さらに、手持ち部４２の両側端面には、開閉蓋４１を間にして両側に手で持ちやすくするための凹部４２２・４２２がそれぞれ形成されている。
【００５０】
次に、上記のように構成された気密保持装置２０の作用及び取り付け手順を説明する。
【００５１】
一次側配管５及び二次側配管６に、それぞれ配管口２、３を装着している既設のガスメータ１を一次側配管５及び二次側配管６から取り外す際、一次側配管５及び二次側配管６の位置ずれを防止するために、例えば、一次側配管５と二次側配管６の先端部を一体的に把持する図示しない２管固定装置で把持しておく。そしてガス栓４を閉じてガスの供給を停止し、既設のガスメータ１を取り外す。
【００５２】
一方、新規のガスメータ１Ｎには、一次配管口２に一次側アダプタ１０を載置させ、二次側配管口３には、二次側アダプタ２０と気密保持装置３０を取り付ける。つまり、気密保持装置３０には、シャッター部材４０が本体部３１に摺動可能に装着されていて、開閉蓋４１上に二次側アダプタ２０が載置されている。二次側アダプタ２０の分割アダプタ２１と補助分割アダプタ２５の両アーム部はそれぞれアーム把持部材２６、２６で固持されて一体的に組み付けられている。そして、図１４に示すように、二次側アダプタ２０は、気密保持装置３０の第１の把持部材３２（上把持部３２３）と第２の把持部材３３（上把持部３３３）とが離れている状態で、気密保持装置３０内に挿入されている。新規のガスメータ１Ｎの二次側配管口３は、図１５に示すように、離れている第１の把持部材３２の下把持部３２４と第２の把持部材３３の下把持部３３４との間に配置される。
【００５３】
次に、図１４〜図１５の状態から気密保持装置３０の第１の把持部材３２と第２の把持部材３３とを相互に接近させて、図９に示すように、第１の把持部材３２の下把持部３２４と第２の把持部材３３の下把持部３３４とで新規のガスメータ１Ｎの二次側配管口３を把持する。同時に、図７に示すように、上把持部３２３、３３３で二次側アダプタ２０の半円環部２１１、２５１を把持する。
【００５４】
次に、図１６に示すように、一次側アダプタ１０、二次側アダプタ２０、及び気密保持装置３０を装着した新規のガスメータ１Ｎの一次側配管口２、二次側配管口３を一次側配管５、二次側配管６に接続する。この際、新規のガスメータ１Ｎを、例えば、図示しない前述の２管固定装置にばね部材を介して２管固定装置側に付勢するように懸吊することによって、その後の作業をやりやすくすることになる。
【００５５】
新規のガスメータ１の一次側配管口２を、一次側アダプタ１０を介して一次側管用継手８に対向させ、二次側配管口３を、二次側管用継手８に気密保持装置３０を介して対向させる。この際、二次側管用継手８の小径筒部８２に新規のパッキン７を装着して、パッキン７の下面に二次側アダプタ２０の上面を当接させるとともに、パッキン７の外周面に気密保持装置３０の本体部３１を外嵌する（図３参照）。
【００５６】
この状態においては、シャッター部材４０は前方位置、つまり、気密保持装置３０における第２の把持部材３３の立て片３３１がシャッター部材４０の手持ち部４２先端の第２ストッパ面４２１に当接した位置にある。気密保持装置３０における本体部３１のストッパ３２７は上方位置にあって、開閉蓋４１のストッパ面４１４ａに当接している。そしてこの位置では、シャッター部材４０の開閉蓋４１に形成されている通気孔４５は、新規のガスメータ１Ｎの二次側配管口３の外側に位置することとなって、二次側配管口３と二次側管用継手８とは遮断されている。通気孔４６は、新規のガスメータ１Ｎの二次側配管口３に連通されている。
【００５７】
上記のように新規のガスメータ１Ｎを既設の配管経路に取り付けた状態では、一次側配管５と新規のガスメータ１Ｎとのガス通路は開通され、新規のガスメータ１Ｎと二次側配管６とのガス通路は開通していない状態にある。
【００５８】
この状態で、一次側配管５の経路途中に配置されたガス栓４を開くと、一次側配管５から流入されたガスが、ガスメータ１Ｎの一次側配管口２から二次側配管口３を通り、さらに開閉蓋４１の通気孔４６から通路４７・４８を通って外部配管口４９に達する。これによって、ガスメータ１Ｎ内の空気は外部に排出され、ガスメータ１Ｎ内はガスに置換される。
【００５９】
この際、外部配管口４９に配管金具５０を装着して、配管金具５０にホースの一端を接続して、他端を図示しない計測装置及びガス回収用バッグに接続すれば、ガスメータ１Ｎ内の空気をガスとともに回収用バッグに回収し、ガスメータ１Ｎ内の酸素度合いを計測することによって、ガスメータ１Ｎ内の空気をガスに置換したことを確認することができる。
【００６０】
次に、図１７に示すように、シャッター部材４０を後方位置に移動させる。
【００６１】
この作用は、まず、気密保持装置３０の本体部３１に配置されているストッパ３２７を、上方位置においたまま、開閉蓋４１のストッパ面４１４ｂをストッパ３２７に当接するまで開閉蓋４１を移動することとなる。これによって、図１８に示すように、通気孔４５が二次側配管口３と二次側管用継手８との通路を連通する位置に移動する。
【００６２】
新規のガスメータ１内で充満されたガスは、二次側管用継手８内に移動して二次側配管６内に供給される。この状態で、ガス栓４を閉じて所定時間経過させる。そしてガス圧の変化がなければ、ガス栓４から家庭内のガス器具Ｌまでのガス洩れは発生していないと判断することができる。これによって管内の気密度合い（気密検査）を行うことができる。
【００６３】
上述のように、気密保持装置３０で新規のガスメータ１Ｎのガス置換及び気密検査を行った後、気密保持装置３０を新規のガスメータ１Ｎから脱着する。
【００６４】
つまり、気密保持装置３０を脱着する際、始めにシャッター部材４０を脱着する。この作用は、シャッター部材４０の開閉蓋４１の摺動を規制している本体部３１のストッパ３２７を上方位置から下方位置に移動した状態で手持ち部４２を本体部３１から引き抜くことによって行う。また、本体部３１を脱着する場合は、第１の把持部３２と第２の把持部３３を開いた状態にして、二次側管用継手８および新規のガスメータ１Ｎの二次側配管口３から脱着する。
【００６５】
気密保持装置３０を新規のガスメータ１Ｎから脱着すると、新規のガスメータ１Ｎは、２管固定装置に懸吊されているばね部材によって、一次側アダプタ１０と二次側アダプタ２０を伴って瞬間的に各管用継手８、８側に移動する。そして次に一次側アダプタ１０と二次側アダプタ２０を脱着する。
【００６６】
つまり、一次側アダプタ１０の一対のアーム把持部材１５、１５、二次側アダプタ２０の一対のアーム把持部材２６、２６を各アーム部から取り外した後、まず、二次側アダプタ２０の補助分割アダプタ２５を脱着する。次に、一次側アダプタ１０の第２の分割アダプタ１２及び二次側アダプタ２０の第２の分割アダプタ２２を同時に取り外す。そして、残りの分割アダプタ、つまり一次側アダプタ１０の第１の分割アダプタ１１及び二次側アダプタ２０の第１の分割アダプタ２１を同時に取り外す。なお、この一次側アダプタ１０及び二次側アダプタ２０を取り外す際、各半円環部を摺動させることとなるが、それぞれの半円環部の両面には滑りシート２７を貼着していることから、容易に脱着することができる。交換装置Ｍを新規のガスメータ１Ｎから脱着した状態において、一次側管用継手８及び二次側管用継手８と新規のガスメータ１Ｎとの接続は、図２に示すように、管用ナット９、９で一次側配管口２、二次側配管口３を締め付けることによって完了する。
【００６７】
従って、本形態のガスメータの交換装置Ｍは、上記のように構成して作用することから、次のような効果を達成することができる。
【００６８】
第１に、既設配管としての一次側配管５と二次側配管６に接続する管用継手８の先端面が、先端部に装着したパッキン７より突出したものであっても、一次側管用継手８に一次側アダプタ１０を介在させて、二次側管用継手８に二次側アダプタ２０を介在させて気密保持装置３０を装着することから、気密保持装置３０を損傷したりガス洩れを発生したりすることなく、気密保持装置３０で新規のガスメータのガス置換と、ガス栓４から家庭内のガス器具Ｌまでの気密検査、及び一次側配管５から二次側配管６へのガス供給を容易に行なうことができる。
【００６９】
つまり、新規のガスメータ１Ｎ内がガスで充満された状態で二次側配管口３と二次側配管６とが接続されることから、屋内でガス器具を用いての点火確認作業を省くことが可能となり、ガスメータの屋外での交換作業を自由に行なうことができる。さらに、二次側配管口３を二次側配管６に接続させた後に、ガスメータ１Ｎに取り付けた気密保持装置３０を取り外すことができることから、気密保持装置３０を次のガスメータ交換作業時に再使用することが可能である。
【００７０】
第２に、分割された一次側アダプタ１０、二次側アダプタ２０にはそれぞれの分割面にシール部材１３・１４、２３・２４を介在させ、さらに一次側アダプタ１０、二次側アダプタ２０の下面側にはシール部材２８を介在させていることによって、ガスメータ１Ｎからのガス洩れを防止することができる。
【００７１】
第３に、気密保持装置３０におけるシャッター部材４０の開閉時、開閉蓋４１の上下両面及び、二次側アダプタ２０の開閉蓋４１との摺動面に滑りシート４３、２７を貼着していることから、シャッター部材４０のスムーズな動きを行うことができ、開閉蓋４１を損傷させないだけでなく作業を容易に行なうことができる。
【００７２】
第４に、新規のガスメータ１Ｎを既設の配管に装着する際に、新規のガスメータ１Ｎを既設の配管側に付勢して懸吊するようにしていることから、気密保持装置３０での各作業を容易に行なうことができる。
【００７３】
なお、本発明のガス配管器具の交換装置Ｍは、上記の実施形態又の形状や構成に限定するものではなく、一次側アダプタ、二次側アダプタの形状や構成、又は、気密保持装置が新規のガスメータ内の空気がガスに置換できるように構成されていればどのような形状であってもよい。
【００７４】
例えば、一次側アダプタと二次側アダプタを分割式ではなく、一体的に形成してもよい。図１９〜２０に示すように、ガスメータ１Ｎの一次側配管口２と一次側管用継手８との間に略円環状の一次側アダプタ６１を配置し、ガスメータ１Ｎの二次側配管口３と二次側管用継手８との間に略円環状の二次側アダプタ６５を配置する。二次側アダプタ６５の下面側には、前述の形態と同様、気密保持装置３０のシャッター部材４０が配置される。一次側アダプタ６１の厚みは、二次側アダプタ６５と気密保持装置３０の開閉蓋４１との厚みを加えた厚みで形成される。この一次側アダプタ６１と二次側アダプタ６５にそれぞれ装着部６２、６６を形成して、一次側アダプタ６１と二次側アダプタ６５とを連結杆６８で連結してもよい。連結杆６８を装着することによって、一次側アダプタ６１と二次側アダプタ６５とを同時に脱着できることから、脱着作用を容易に行うことができる。勿論、連結杆６８を連結しない状態でそれぞれ一次側アダプタ６１と二次側アダプタ６５とを装着してもよい。一次側アダプタ６１及び二次側アダプタ６５の上下面には、前述の分割した状態のアダプタと同様、シール部材あるいは滑りシートが装着される。
【００７５】
この一体的に形成された一次側アダプタ６１と二次側アダプタ６５を使用することによって、分割式で形成されたものより部品点数を少なくしてコストを低減できるとともに、分割によるガス漏れの可能性も減少することとなる。
【図面の簡単な説明】
【００７６】
【図１】ガスメータ１Ｎが配管されている状態を示す簡略図である。
【図２】図１における部分拡大図である。
【図３】本発明における一形態の交換装置を使用する状態を示す断面図である。
【図４】図３における交換装置の一次側アダプタを示す平面図である。
【図５】同二次側アダプタを示す平面図である。
【図６】図５におけるVI−VI断面図である。
【図７】図３における気密保持装置を示す平面図である。
【図８】同側面図である。
【図９】同底面図である
【図１０】図８におけるＡ矢視図である。
【図１１】図８におけるＢ矢視図である。
【図１２】図８における気密保持装置のシャッター部材を示す平面図である。
【図１３】同断面図である。
【図１４】気密保持装置の第１の把持部材と第２の把持部材が開いている状態を示す平面図である。
【図１５】同底面図である。
【図１６】図３における交換装置をガスメータに装着した状態を示す平面図である。
【図１７】気密保持装置のシャッター部材を第２の位置に移動した状態を示す平面図である。
【図１８】同底面図である。
【図１９】一体型のアダプタを使用した交換装置を示す平面図である。
【図２０】同断面図である。
【図２１】従来の管用継手とガスメータとの接続状態を示す断面図である。
【符号の説明】
【００７７】
Ｍ…交換装置
１、１Ｎ…ガスメータ
２…一次側配管口
３…二次側配管口
５…一次側配管
６…二次側配管
７…パッキン
８…管用継手
１０…一次側アダプタ
１１…第１の分割アダプタ
１２…第２の分割アダプタ
１１１、１２１…半円管部
１１２、１１３、１２２，１２３…アーム部
１３、１４…シール部材
１５…アーム把持部材
２０…二次側アダプタ
２１…第１の分割アダプタ
２２…第２の分割アダプタ
２１１、２５１…半円管部
２１２、２１３、２５２、２５３…アーム部
２３、２４…シール部材
２５…補助分割アダプタ
２６…アーム把持部材
３０…気密保持装置
３１…本体部
３２…第１の把持部材
３３…第２の把持部材
４０…シャッター部材
４１…開閉蓋
４３…シール部材
４５…通気孔
４６…通気孔
【図１】
2006038493.tif 000003
【図２】
2006038493.tif 000004
【図３】
2006038493.tif 000005
【図４】
2006038493.tif 000006
【図５】
2006038493.tif 000007
【図６】
2006038493.tif 000008
【図７】
2006038493.tif 000009
【図８】
2006038493.tif 000010
【図９】
2006038493.tif 000011
【図１０】
2006038493.tif 000012
【図１１】
2006038493.tif 000013
【図１２】
2006038493.tif 000014
【図１３】
2006038493.tif 000015
【図１４】
2006038493.tif 000016
【図１５】
2006038493.tif 000017
【図１６】
2006038493.tif 000018
【図１７】
2006038493.tif 000019
【図１８】
2006038493.tif 000020
【図１９】
2006038493.tif 000021
【図２０】
2006038493.tif 000022
【図２１】
2006038493.tif 000023